【手続補正書】
【提出日】令和3年5月11日(2021.5.11)
【手続補正１】
【補正対象書類名】特許請求の範囲
【補正対象項目名】全文
【補正方法】変更
【補正の内容】
【特許請求の範囲】
【請求項１】
基材層、配向層、及び、少なくとも１層の位相差層を含む位相差層含有層をこの順に含む位相差フィルムであって、
前記位相差層は、幅方向の一方の端部を含む第１端領域と、前記幅方向において前記第１端領域に隣接する第１隣接領域とを有し、
前記第１隣接領域は第１遅相軸を有し、
前記第１端領域は、前記第１遅相軸とは異なる方向の遅相軸である第２遅相軸を有し、
前記配向層の厚みは１０〜５００ｎｍである、位相差フィルム。
【請求項２】
前記第１遅相軸又は第２遅相軸は、前記位相差層の面内において前記幅方向に直交する方向である直交方向と２０°以下の角度をなす方向の遅相軸である、請求項１に記載の位相差フィルム。
【請求項３】
前記配向層は光配向性ポリマーを含む、請求項１又は２に記載の位相差フィルム。
【請求項４】
前記位相差層は、さらに、前記幅方向の他方の端部を含む第２端領域と、前記幅方向において前記第２端領域に隣接する第２隣接領域とを有し、
前記第２隣接領域は第３遅相軸を有し、
前記第２端領域は、前記第３遅相軸とは異なる方向の遅相軸である第４遅相軸を有する、請求項１〜３のいずれか１項に記載の位相差フィルム。
【請求項５】
前記第３遅相軸又は前記第４遅相軸は、前記位相差層の面内において前記幅方向に直交する方向である直交方向と２０°以下の角度をなす方向の遅相軸である、請求項４に記載の位相差フィルム。
【請求項６】
基材層、配向層、及び、少なくとも１層の位相差層を含む位相差層含有層をこの順に含む位相差フィルムであって、
前記位相差層は、前記配向層上にあり、
前記配向層は、幅方向の一方の端部を含む第３端領域と、前記幅方向において前記第３端領域に隣接する第３隣接領域とを有し、
前記第３隣接領域は第１配向軸を有し、
前記第３端領域は、前記第１配向軸とは異なる方向の配向軸である第２配向軸を有し、
前記配向層の厚みは１０〜５００ｎｍである、位相差フィルム。
【請求項７】
前記配向層は、前記幅方向の他方の端部を含む第４端領域と、前記幅方向において前記第４端領域に隣接する第４隣接領域とを有し、
前記第４隣接領域は第３配向軸を有し、
前記第４端領域は、前記第３配向軸とは異なる方向の配向軸である第４配向軸を有する、請求項６に記載の位相差フィルム。
【請求項８】
請求項１〜７のいずれか１項に記載の位相差フィルムと、光学フィルムとを含む基材層付き光学積層体であって、
前記光学フィルムは、接着層を介して前記位相差フィルムの前記位相差層含有層上に積層されている、基材層付き光学積層体。
【請求項９】
請求項１〜５のいずれか１項に記載の位相差フィルムと、光学フィルムとを含む基材層付き光学積層体であって、
前記光学フィルムは、接着層を介して前記位相差フィルムの前記位相差層含有層上に積層されており、
前記第１端領域の前記第２遅相軸は、前記直交方向と２０°以下の角度をなす方向の遅相軸であり、
前記幅方向における前記接着層の一方の端部は、前記位相差層の前記第１端領域上、又は、前記第１端領域と前記第１隣接領域との境界となる第１境界線上にある、基材層付き光学積層体。
【請求項１０】
請求項１〜５のいずれか１項に記載の位相差フィルムと、光学フィルムとを含む基材層付き光学積層体であって、
前記光学フィルムは、接着層を介して前記位相差フィルムの前記位相差層含有層上に積層されており、
前記第１隣接領域の前記第１遅相軸は、前記直交方向と２０°以下の角度をなす方向の遅相軸であり、
前記幅方向における前記接着層の一方の端部は、前記位相差層の前記第１隣接領域上、又は、前記第１端領域と前記第１隣接領域との境界となる第１境界線上にある、基材層付き光学積層体。
【請求項１１】
前記位相差フィルムは、請求項４又は５に記載の位相差フィルムであり、
前記第２端領域の前記第４遅相軸は、前記直交方向と２０°以下の角度をなす方向の遅相軸であり、
前記幅方向における前記接着層の他方の端部は、前記位相差層の前記第２端領域上、又は、前記第２端領域と前記第２隣接領域との境界となる第２境界線上にある、請求項９又は１０に記載の基材層付き光学積層体。
【請求項１２】
前記位相差フィルムは、請求項４又は５に記載の位相差フィルムであり、
前記第２隣接領域の前記第３遅相軸は、前記直交方向と２０°以下の角度をなす方向の遅相軸であり、
前記幅方向における前記接着層の他方の端部は、前記位相差層の前記第２隣接領域上、又は、前記第２端領域と前記第２隣接領域との境界となる第２境界線上にある、請求項９又は１０に記載の基材層付き光学積層体。
【請求項１３】
光学フィルムと、少なくとも１層の位相差層を含む位相差層含有層とが、接着層を介して積層されてなる光学積層体であって、
前記位相差層は、液晶化合物を含み、
前記位相差層は、幅方向における一方の端部の位置が、前記接着層の前記幅方向における一方の端部の位置と同じである、光学積層体。
【請求項１４】
前記位相差層は、幅方向における他方の端部の位置が、前記接着層の前記幅方向における他方の端部の位置と同じである、請求項１３に記載の光学積層体。
【請求項１５】
さらに、前記位相差層含有層は、前記位相差層上に配向層を有し、
前記幅方向において、前記配向層の一方の端部の位置は、前記接着層の一方の端部の位置と同じである、請求項１３又は１４に記載の光学積層体。
【請求項１６】
前記幅方向において、前記配向層の他方の端部の位置は、前記接着層の他方の端部の位置と同じである、請求項１５に記載の光学積層体。
【請求項１７】
前記配向層は、光配向性ポリマーを含む、請求項１５又は１６に記載の光学積層体。
【請求項１８】
前記位相差層は、前記幅方向における一方の端部を含む第１’端領域と、前記幅方向において前記第１’端領域に隣接する第１隣接領域とを有し、
前記第１隣接領域は第１遅相軸を有し、
前記第１’端領域は、前記第１遅相軸とは異なる方向の遅相軸である第２遅相軸を有する、請求項１３〜１７のいずれか１項に記載の光学積層体。
【請求項１９】
前記第２遅相軸は、前記位相差層の面内において前記幅方向に直交する方向である直交方向と２０°以下の角度をなす方向の遅相軸である、請求項１８に記載の光学積層体。
【請求項２０】
前記位相差層は、さらに、前記幅方向における他方の端部を含む第２’端領域と、前記幅方向において前記第２’端領域に隣接する第２隣接領域とを有し、
前記第２隣接領域は第３遅相軸を有し、
前記第２’端領域は、前記第３遅相軸とは異なる方向の遅相軸である第４遅相軸を有する、請求項１８又は１９に記載の光学積層体。
【請求項２１】
前記第４遅相軸は、前記位相差層の面内において前記幅方向に直交する方向である直交方向と２０°以下の角度をなす方向の遅相軸である、請求項２０に記載の光学積層体。
【請求項２２】
前記位相差層は、前記配向層上にあり、
前記配向層は、前記幅方向における一方の端部を含む第３’端領域と、前記幅方向において前記第３’端領域に隣接する第３隣接領域とを有し、
前記第３隣接領域は第１配向軸を有し、
前記第３’端領域は、前記第１配向軸とは異なる方向の配向軸である第２配向軸を有する、請求項１５〜１７のいずれか１項に記載の光学積層体。
【請求項２３】
前記配向層は、前記幅方向における他方の端部を含む第４’端領域と、前記幅方向において前記第４’端領域に隣接する第４隣接領域とを有し、
前記第４隣接領域は第３配向軸を有し、
前記第４’端領域は、前記第３配向軸とは異なる方向の配向軸である第４配向軸を有する、請求項２２に記載の光学積層体。
【請求項２４】
請求項１〜７のいずれか１項に記載の位相差フィルムの製造方法であって、
前記基材層上に前記配向層を形成する配向層形成工程と、
前記配向層上に前記位相差層含有層を形成する位相差層形成工程と、を有する、位相差フィルムの製造方法。
【請求項２５】
前記配向層は、光配向性ポリマーを含み、
前記配向層形成工程は、前記光配向性ポリマーに偏光紫外線を照射する工程を有する、請求項２４に記載の位相差フィルムの製造方法。
【請求項２６】
請求項１〜７のいずれか１項に記載の位相差フィルムを準備する工程と、
光学フィルムを準備する工程と、
前記光学フィルムを、接着層を介して前記位相差フィルムの前記位相差層含有層上に積層する積層工程と、を有する、基材層付き光学積層体の製造方法。
【請求項２７】
請求項１〜５のいずれか１項に記載の位相差フィルムを準備する工程と、
光学フィルムを準備する工程と、
前記光学フィルムを、接着層を介して前記位相差フィルムの前記位相差層含有層上に積層する積層工程と、を有し、
前記第１端領域の前記第２遅相軸は、前記位相差層の面内において前記幅方向に直交する方向である直交方向と２０°以下の角度をなす方向の遅相軸であり、
前記積層工程において設けられた前記接着層は、前記幅方向における一方の端部が、前記位相差層の前記第１端領域上、又は、前記第１端領域と前記第１隣接領域との境界となる第１境界線上にある、基材層付き光学積層体の製造方法。
【請求項２８】
請求項１〜５のいずれか１項に記載の位相差フィルムを準備する工程と、
光学フィルムを準備する工程と、
前記光学フィルムを、接着層を介して前記位相差フィルムの前記位相差層含有層上に積層する積層工程と、を有し、
前記第１隣接領域の前記第１遅相軸は、前記位相差層の面内において前記幅方向に直交する方向である直交方向と２０°以下の角度をなす方向の遅相軸であり、
前記積層工程において設けられた前記接着層は、前記幅方向における一方の端部が、前記位相差層の前記第１隣接領域上、又は、前記第１端領域と前記第１隣接領域との境界となる第１境界線上にある、基材層付き光学積層体の製造方法。
【請求項２９】
前記位相差フィルムは、請求項４又は５に記載の位相差フィルムであり、
前記第２端領域の前記第４遅相軸は、前記位相差層の面内において前記幅方向に直交する方向である直交方向と２０°以下の角度をなす方向の遅相軸であり、
前記幅方向における前記接着層の他方の端部は、前記位相差層の前記第２端領域上、又は、前記第２端領域と前記第２隣接領域との境界となる第２境界線上にある、請求項２７又は２８に記載の基材層付き光学積層体の製造方法。
【請求項３０】
前記位相差フィルムは、請求項４又は５に記載の位相差フィルムであり、
前記第２隣接領域の前記第３遅相軸は、前記位相差層の面内において前記幅方向に直交する方向である直交方向と２０°以下の角度をなす方向の遅相軸であり、
前記幅方向における前記接着層の他方の端部は、前記位相差層の前記第２隣接領域上、又は、前記第２端領域と前記第２隣接領域との境界となる第２境界線上にある、請求項２７又は２８に記載の基材層付き光学積層体の製造方法。
【請求項３１】
請求項９〜１２のいずれか１項に記載の基材層付き光学積層体を準備する工程と、
前記基材層付き光学積層体に含まれる前記基材層を含む剥離層を、前記位相差層の面内において前記幅方向に直交する方向である直交方向に対して平行な方向に剥離する剥離工程と、を有する、光学積層体の製造方法。